(57)【要約】【課題】居室内を効率よく換気する。【解決手段】この換気システムは、住居６の居室内を換気するシステムであり、換気制御装置１と、換気扇２と、風圧センサ３Ａ，３Ｂと、を備える。住居６には、換気扇２が設置されている外壁の反対側の外壁の所定位置に換気口５が設けられている。風圧センサ３Ａは、住居６の外壁の屋外側であって、換気扇２の近傍に設置される。風圧センサ３Ｂは、住居６の外壁の屋外側であって、換気口５の近傍に設置される。換気制御装置１は、給気機能及び排気機能を有する換気扇２の動作を制御する。換気制御装置１は、換気扇２を動作させる場合、風圧センサ３Ａ、３Ｂの計測結果に基づいて、給気動作又は排気動作の何れにするかを決定する。換気扇２が給気動作を行う場合、換気扇２から換気口５に至る換気経路にて換気が行われ、一方、換気扇２が排気動作を行う場合、換気口５から換気扇２に至る換気経路にて換気が行われる。【選択図】図１
2014074554.tif 000002
【特許請求の範囲】
【請求項１】
建物内の換気を行う換気システムであって、
給気機能及び排気機能を有する給排気手段と、
前記給排気手段の動作を制御する換気制御装置と、を備え、
前記換気制御装置は、前記給排気手段を動作させる場合、屋外の風に関する風情報を取得し、取得した風情報に基づいて、給気動作又は排気動作の何れにするかを決定し、
前記給排気手段が給気動作を行う場合、前記給排気手段から前記建物に設けられた換気口に至る換気経路にて換気が行われ、一方、前記給排気手段が排気動作を行う場合、前記換気口から前記給排気手段に至る換気経路にて換気が行われる、
ことを特徴とする換気システム。
【請求項２】
屋外の風に関する情報を計測する風情報計測手段を、さらに備え、
前記換気制御装置は、前記風情報計測手段の計測結果を前記風情報として取得する、
ことを特徴とする請求項１に記載の換気システム。
【請求項３】
前記換気制御装置は、前記風情報に基づいて、前記給排気手段の設置場所が風上側又は風下側の何れであるかを判定し、風上側と判定した場合には、前記給排気手段に給気動作をさせ、一方、風下側と判定した場合には、前記給排気手段に排気動作をさせる、
ことを特徴とする請求項１又は２に記載の換気システム。
【請求項４】
建物内の空気の状態を示す所定の物理量を計測する第１の環境センサと、
屋外の空気の状態を示す所定の物理量を計測する第２の環境センサと、を更に備え、
前記換気制御装置は、前記第１の環境センサ及び前記第２の環境センサそれぞれの計測結果に基づいて、換気を行うことが妥当であるか否かを判定し、妥当であると判定した場合に限り、前記給排気手段を動作させる、
ことを特徴とする請求項１乃至３の何れか１項に記載の換気システム。
【請求項５】
建物内の換気を行う換気システムであって、
給気機能及び排気機能を有する第１の給排気手段と、
給気機能及び排気機能を有する第２の給排気手段と、
前記第１の給排気手段及び前記第２の給排気手段の動作を制御する換気制御装置と、を備え、
前記換気制御装置は、
屋外の風に関する風情報を取得し、前記第１の給排気手段及び前記第２の給排気手段を動作させる場合、取得した風情報に基づいて、それぞれ、給気動作又は排気動作の何れにするかを決定し、
前記第１の給排気手段に給気動作をさせる場合、前記第２の給排気手段に排気動作をさせ、一方、前記第１の給排気手段に排気動作をさせる場合、前記第２の給排気手段に給気動作をさせる、
ことを特徴とする換気システム。
【請求項６】
屋外の風に関する風情報を取得し、
建物内の換気を行う際、取得した風情報に基づいて、給気機能及び排気機能を有する給排気手段に給気又は排気の何れかの動作をさせ、
前記給排気手段が給気動作を行う場合、前記給排気手段から前記建物に設けられた換気口に至る換気経路にて換気が行われ、一方、前記給排気手段が排気動作を行う場合、前記換気口から前記給排気手段に至る換気経路にて換気が行われる、
ことを特徴とする換気方法。
【請求項７】
建物内の換気制御を行う換気制御装置であって、
屋外の風に関する風情報を取得する風情報取得手段と、
給気機能及び排気機能を有する給排気手段の動作を制御する給排気制御手段と、を備え、
前記給排気制御手段は、前記給排気手段を動作させる場合、前記風情報取得手段により取得された前記風情報に基づいて、給気動作又は排気動作の何れにするかを決定し、
前記給排気手段が給気動作を行う場合、前記給排気手段から前記建物に設けられた換気口に至る換気経路にて換気が行われ、一方、前記給排気手段が排気動作を行う場合、前記換気口から前記給排気手段に至る換気経路にて換気が行われる、
ことを特徴とする換気制御装置。
【請求項８】
建物内の換気制御を行うコンピュータを、
屋外の風に関する風情報を取得する風情報取得手段、
給気機能及び排気機能を有する給排気手段の動作を制御する給排気制御手段と、して機能させ、
前記給排気制御手段は、前記給排気手段を動作させる場合、前記風情報取得手段により取得された前記風情報に基づいて、給気動作又は排気動作の何れにするかを決定し、
前記給排気手段が給気動作を行う場合、前記給排気手段から前記建物に設けられた換気口に至る換気経路にて換気が行われ、一方、前記給排気手段が排気動作を行う場合、前記換気口から前記給排気手段に至る換気経路にて換気が行われる、
ことを特徴とするプログラム。
【発明の詳細な説明】
【技術分野】
【０００１】
本発明は、居室内を換気するための技術に関する。
【背景技術】
【０００２】
近年、省エネルギーの観点から、熱ロスを防ぐため、住宅の高密度化が進んでいる。また、空調機器の性能向上や、防犯等の理由から、ほぼ窓を閉め切ったままでの生活スタイルが一般化しつつある。
【０００３】
上記のような居室環境では、いわゆるハウスダストの発生を助長させることになり、居室内の空気の汚れが問題となる。また、建材・家具等から発生するホルムアルデヒド等の化学物質が居室内にこもってしまい、居住者の健康が損なわれてしまう虞もある。
【０００４】
このような問題を背景として、平成１５年７月１日施行の改正建築基準法では、新築や増改築の際、２４時間換気可能な設備、具体的には、換気回数０．５回／ｈ以上の換気量を持つ設備の設置が義務付けられることとなった。
【０００５】
上記の法に準拠した換気技術として、例えば、特許文献１には、居室内に設置されたエアコンや空気清浄機能を有する換気設備を制御して、当該居室内の換気を行う住宅設備制御装置（ホームサーバ）が開示されている。このホームサーバは、化学物質等を検出するセンサと接続し、かかるセンサからシックハウス物質が検出されると、エアコン等に換気動作を行わせる。また、このホームサーバは、上記センサからシックハウス物質が検出されていない場合であっても、２時間に１回（０．５回／ｈ）、エアコン等に換気動作を行わせる。
【先行技術文献】
【特許文献】
【０００６】
【特許文献１】特開２００５−３３７６４７号公報
【発明の概要】
【発明が解決しようとする課題】
【０００７】
上記特許文献１に記載の技術のように、少なくとも２時間毎に居室内の換気を自動で行う場合では、生活者が手動で行う場合と比べ、換気扇等の換気装置の動作頻度は高くなり、消費電力も増加する。そこで、節電対策として、効率的な換気が求められるが、特許文献１には、換気の効率化についての記載はない。したがって、居室内の換気について、法を遵守しつつ、効率的に行う新たな技術の提案が望まれているのが実情である。
【０００８】
本発明は、上記実情を鑑みてなされたものであり、居室内の効率的な換気を実現する換気システム、換気方法、換気制御装置及びプログラムを提供することを目的とする。
【課題を解決するための手段】
【０００９】
上記目的を達成するため、本発明に係る換気システムは、
建物内の換気を行う換気システムであって、
給気機能及び排気機能を有する給排気手段と、
前記給排気手段の動作を制御する換気制御装置と、を備え、
前記換気制御装置は、前記給排気手段を動作させる場合、屋外の風に関する風情報を取得し、取得した風情報に基づいて、給気動作又は排気動作の何れにするかを決定し、
前記給排気手段が給気動作を行う場合、前記給排気手段から前記建物に設けられた換気口に至る換気経路にて換気が行われ、一方、前記給排気手段が排気動作を行う場合、前記換気口から前記給排気手段に至る換気経路にて換気が行われる、ことを特徴とする。
【００１０】
また、本発明の他の観点に係る換気システムは、
建物内の換気を行う換気システムであって、
給気機能及び排気機能を有する第１の給排気手段と、
給気機能及び排気機能を有する第２の給排気手段と、
前記第１の給排気手段及び前記第２の給排気手段の動作を制御する換気制御装置と、を備え、
前記換気制御装置は、
屋外の風に関する風情報を取得し、前記第１の給排気手段及び前記第２の給排気手段を動作させる場合、取得した風情報に基づいて、それぞれ、給気動作又は排気動作の何れにするかを決定し、
前記第１の給排気手段に給気動作をさせる場合、前記第２の給排気手段に排気動作をさせ、一方、前記第１の給排気手段に排気動作をさせる場合、前記第２の給排気手段に給気動作をさせる、ことを特徴とする。
【発明の効果】
【００１１】
本発明によれば、換気の際、屋外の風に関する風情報に基づいて、給気機能及び排気機能を有する給排気手段に給気動作又は排気動作の何れをさせるかを決定する。したがって、通気がスムーズとなり、換気効率の向上が図れる。
【図面の簡単な説明】
【００１２】
【図１】本発明の実施形態１に係る換気システムの全体構成を示す図である。
【図２】実施形態１の換気制御装置の構成を示すブロック図である。
【図３】実施形態１の換気制御装置が備える制御部の機能的な構成を示すブロック図である。
【図４】実施形態１の換気制御処理の手順を示すフローチャートである。
【図５】実施形態１の変形例１に係る換気システムの全体構成を示す図である。
【図６】実施形態１の変形例２に係る換気システムの全体構成を示す図である。
【図７】本発明の実施形態２に係る換気システムの全体構成を示す図である。
【図８】本発明の実施形態３に係る換気システムの全体構成を示す図である。
【図９】実施形態３の換気制御装置が備える制御部の機能的な構成を示すブロック図である。
【図１０】実施形態３の換気制御処理の手順を示すフローチャートである。
【発明を実施するための形態】
【００１３】
以下、本発明の実施形態について図面を参照して詳細に説明する。
【００１４】
（実施形態１）
図１は、本発明の実施形態１に係る換気システムの全体構成を示す図である。この換気システムは、一般家庭における住居６における居室内の換気を行うためのシステムであり、換気制御装置１と、換気扇２と、風圧センサ３Ａ及び３Ｂと、から構成される。
【００１５】
換気扇２（給排気手段）は、住居６の外壁の所定位置に設置される。換気扇２は、直方体の筐体内部に、何れも図示しないが、プロペラファン、モータ、モータ駆動回路、シャッタ、通信回路等を含んで構成される。通信回路は、住居６内に構築された宅内ネットワーク４に有線又は無線にて通信可能に接続されている。宅内ネットワーク４は、例えば、ＥＣＨＯＮＥＴに準じたネットワークである。
【００１６】
モータ駆動回路は、通信回路により受信される換気制御装置１からの制御データに基づいて、モータを駆動させる。これにより、モータは、回転軸を介して接続するプロペラファンを正回転又は逆回転させる。プロペラファンが正回転すると、屋外の空気が居室内に取り込まれ（給気）、逆回転すると、居室内の空気が屋外へ排出される（排気）。
【００１７】
シャッタは、通信回路により受信される換気制御装置１からの制御データに基づいて、開閉動作を行う。具体的には、換気制御装置１からの制御データが、モータの回転開始を示すものである場合、シャッタは開き、一方、モータの回転停止を示すものである場合、シャッタは閉じる。シャッタが開かれると、換気扇２を介して、居室内と屋外との間の風路が開放される。一方、シャッタが閉じられると、換気扇２を介した居室内と屋外との間の風路は遮断される。
【００１８】
風圧センサ３Ａ、３Ｂ（風情報計測手段）は、外気の風圧（風情報）を計測するセンサであり、住居６の外壁の屋外側の所定位置に設置される。風圧センサ３Ａ、３Ｂは、宅内ネットワーク４に接続され、それぞれ、計測結果が含まれたデータ（風圧データ）を所定のタイミングで宅内ネットワーク４を介して換気制御装置１に送信する。
【００１９】
風圧センサ３Ａは、換気扇２の近傍に設置され、風圧センサ３Ｂは、後述する換気口５の近傍に設置される。
【００２０】
換気口５は、住居６における外壁の所定位置に設けられており、換気扇２の動作中、空気を通風させるための通風口として使用される。即ち、換気扇２が給気を行っている場合では、換気口５を介して居室内の空気が屋外へ排出される（排気）。一方、換気扇２が給気を行っている場合では、換気口５を介して、屋外の空気が居室内に取り込まれる（給気）。
【００２１】
換気口５は、本実施形態では、住居６において、換気扇２が設置されている外壁の反対側の外壁の所定位置に設けられている。換気口５には、図示はしないが、虫、塵埃、花粉等の居室内への侵入を防止するためのフィルタが取り付けられている。
【００２２】
換気制御装置１は、住居６内の所定の場所に設置され、図２に示すように、通信部１０と、表示部１１と、入力部１２と、データ記憶部１３と、制御部１４と、を備える。
【００２３】
通信部１０は、例えば、ＬＡＮカード等の通信インタフェースを含んで構成され、宅内ネットワーク４に有線又は無線にて通信可能に接続し、制御部１４の制御の下、換気扇２、風圧センサ３Ａ、３Ｂと宅内ネットワーク４を介したデータ通信を行う。
【００２４】
表示部１１は、液晶表示器等で構成され、制御部１４の制御の下、換気扇２の動作状態や、風圧センサ３Ａ、３Ｂの計測結果等を示す画面やユーザ操作用の各種画面を表示する。入力部１２は、タッチパネル、タッチパッド等から構成され、ユーザからの操作入力を受け付ける処理を行う。
【００２５】
データ記憶部１３は、いわゆる二次記憶装置（補助記憶装置）としての役割を担い、例えば、フラッシュメモリ等の読み書き可能な不揮発性の半導体メモリ等で構成される。データ記憶部１３は、換気扇２、風圧センサ３Ａ、３Ｂを制御するためデータやプログラム等を記憶する。
【００２６】
制御部１４は、ＣＰＵ（Central Processing Unit）、ＲＯＭ（Read Only Memory）、ＲＡＭ（Random Access Memory）等（何れも図示せず）から構成され、当該換気制御装置１全体の制御を行う。制御部１４は、機能的には、図３に示すように、風圧データ取得部１４０と、風向判定部１４１と、換気扇制御部１４２と、第１タイマ１４３と、第２タイマ１４４と、を備える。これらの構成部の機能は、ＣＰＵ等が、データ記憶部１３に記憶されている上記のプログラムを実行することで実現される。
【００２７】
風圧データ取得部１４０は、風圧センサ３Ａ、３Ｂから所定のタイミングで風圧データを取得する。本実施形態では、風圧データ取得部１４０は、前回の換気開始から所定時間（例えば、２時間）経過する毎に、風圧センサ３Ａ、３Ｂのそれぞれに対して、風圧データの送信を要求する。これに応答して、風圧センサ３Ａ、３Ｂのそれぞれから風圧データが送信され、通信部１０によって受信されると、風圧データ取得部１４０は、受信された風圧センサ３Ａ、３Ｂのそれぞれの風圧データを風向判定部１４１に供給する。
【００２８】
風向判定部１４１は、双方の風圧データを比較して、外気の風向を判定する。本実施形態では、双方の風圧データが示す風圧値を比較して、高い方の風圧データを送信した風圧センサの設置場所を風上とし、他方の風圧センサの設置場所を風下として判定する。風向判定部１４１は、判定した結果を換気扇制御部１４２に通知する。
【００２９】
換気扇制御部１４２は、風向判定部１４１から通知された判定結果に基づいて、換気扇２の制御を行う。具体的には、風圧センサ３Ａの設置場所が風上であると判定された場合、換気扇制御部１４２は、換気扇２のプロペラファンを正回転させる制御を行う。一方、風圧センサ３Ａの設置場所が風下であると判定された場合、換気扇制御部１４２は、換気扇２のプロペラファンを逆回転させるための制御を行う。
【００３０】
第１タイマ１４３は、換気開始のトリガとして機能するタイマである。第１タイマ１４３は、換気が開始されると計時を開始し、所定時間（例えば、２時間）に達すると、タイムアウトして、その旨のイベントを発生させる。
【００３１】
第２タイマ１４４は、換気終了のトリガとして機能するタイマである。第２タイマ１４４は、換気が開始されると計時を開始し、その後、所定時間（例えば、１０分間）に達すると、タイムアウトして、その旨のイベントを発生させる。
【００３２】
図４は、以上のように構成された換気制御装置１の制御部１４により実行される換気制御処理の手順を示すフローチャートである。この換気制御処理は、換気制御装置１の電源がＯＮの間、繰り返し実行される。
【００３３】
風圧データ取得部１４０は、第１タイマ１４３がタイムアウトしているか否かをチェックする（ステップＳ１０１）。タイムアウトしている場合（ステップＳ１０１；ＹＥＳ）、風圧データ取得部１４０は、風圧センサ３Ａ、３Ｂに対して、計測結果の送信を要求するデータ（送信要求データ）を通信部１０を介して送信する（ステップＳ１０２）。風圧センサ３Ａ、３Ｂのそれぞれは、かかる送信要求データを受信すると、計測結果を格納した風圧データを換気制御装置１に送信する。
【００３４】
風圧センサ３Ａ、３Ｂのそれぞれから送信された風圧データが、通信部１０により受信されると（ステップＳ１０３；ＹＥＳ）、風向判定部１４１は、上述したように、双方の風圧データに含まれる計測結果（即ち、風圧値）を比較して、外気の風向を判定する（ステップＳ１０４）。風向判定部１４１は、判定結果を換気扇制御部１４２に通知する。
【００３５】
風向判定部１４１により、風圧センサ３Ａの設置場所が風上であると判定された場合、換言すると、換気扇２側が風上である場合（ステップＳ１０５；ＹＥＳ）、換気扇制御部１４２は、換気扇２のプロペラファンを正回転させるための制御データを生成し、生成した制御データを通信部１０を介して換気扇２に送信する（ステップＳ１０６）。換気扇２は、かかる制御データを受信すると、プロペラファンを正回転させる。これにより、換気扇２で給気が行われ、また、換気口５から居室内の空気が排気される。このようにして、住居６において、換気扇２から換気口５に至る換気経路にて居室内の換気が開始される。
【００３６】
一方、風向判定部１４１により、風圧センサ３Ａの設置場所が風下であると判定された場合、換言すると、換気扇２側が風下である場合（ステップＳ１０５；ＮＯ）、換気扇制御部１４２は、換気扇２のプロペラファンを逆回転させるための制御データを生成し、生成した制御データを通信部１０を介して換気扇２に送信する（ステップＳ１０７）。換気扇２は、かかる制御データを受信すると、プロペラファンを逆回転させる。これにより、換気扇２から居室内の空気が排気され、また、換気口５から外気が給気される。このようにして、換気口５から換気扇２に至る換気経路にて居室内の換気が開始される。
【００３７】
換気扇制御部１４２は、上記の制御データの送信に同期して、第１タイマ１４３を起動させ（ステップＳ１０８）、また、第２タイマ１４４を起動させる（ステップＳ１０９）。しかる後、第２タイマ１４４がタイムアウトすると（ステップＳ１１０；ＹＥＳ）、換気扇制御部１４２は、換気扇２のプロペラファンの回転を停止させるための制御データを生成し、生成した制御データを通信部１０を介して換気扇２に送信する（ステップＳ１１１）。かかる制御データを受信すると、換気扇２は、プロペラファンの回転を停止させる。これにより、住居６における居室内の換気が終了する。ステップＳ１１１の処理後、制御部１４の処理は、ステップＳ１０１に戻る。
【００３８】
以上のように、本発明の実施形態１に係る換気システムによれば、居室内の換気の際、換気口５との位置関係において、換気扇２の位置が風上又は風下の何れに該当するかを判定する。そして、風上に位置すると判定した場合には、換気扇２から換気口５に至る空気の流れ（換気経路）にて換気を行い、これとは逆に、風下に位置すると判定した場合には、換気口５から換気扇２に至る換気経路にて換気を行う。
【００３９】
このように外気の風向を利用するため、通気がスムーズとなり、換気効率の向上が図れる。その結果、従来より、換気扇２の能力を低下（プロペラファンの回転速度を落とす）させたり、あるいは、換気扇２の動作時間（プロペラファンの回転時間）を短縮させることが可能となり、消費電力を低下させることが可能となる。
【００４０】
なお、本実施形態では、換気制御装置１は、換気扇２、風圧センサ３Ａ，３Ｂとの間のデータ通信を宅内ネットワーク４を介して行っていたが、換気制御装置１と、換気扇２、風圧センサ３Ａ，３Ｂの各々とが、それぞれ別個の専用通信線でデータ通信可能に接続される構成であってもよい。
【００４１】
また、本実施形態では、換気制御装置１からの要求に応答して、風圧センサ３Ａ、３Ｂから風圧データが送られてきたが、風圧センサ３Ａ、３Ｂから自発的に送られるようにしてもよい。この場合、風圧センサ３Ａ、３Ｂは、例えば、１分間隔で風圧データを換気制御装置１に送信し、換気制御装置１は、上述した換気制御処理において、第１タイマ１４３のタイムアウト後、風圧センサ３Ａ、３Ｂから最初に送られてきた風圧データを用いて、風向を判定すればよい。
【００４２】
また、本実施形態では、換気制御装置１は、第１タイマ１４３がタイムアウトする度、即ち、前回の換気開始から所定時間（例えば、２時間）が経過する毎に、換気扇２を制御して、居室内の換気を行っていたが、ユーザによる入力部１２を介した操作により、換気扇２の制御が行われ、居室内の換気が適宜行われるようにしても構わない。
【００４３】
また、図５に示すように、居室内に設置した環境センサ７（温度センサ、湿度センサ、ＶＯＣ（volatile organic compounds）センサ、空気汚れセンサ等）からの計測結果が宅内ネットワーク４を介して換気制御装置１に通知されるようにし、換気制御装置１は、通知された計測結果が予め設定した閾値を超えた場合にも、換気制御を行うようにしてもよい。
【００４４】
また、外気の風力に応じて、換気扇２の能力や動作時間を調整するようにしてもよい。外気の風力の大きさは、例えば、風圧センサ３Ａ、３Ｂの差分の絶対値の大きさで判定する。このようにすることで、例えば、風力が大きい場合等では、通常より、換気扇２の能力を低下させたり、動作時間を短縮させたりすることが可能となり、消費電力のさらなる低減化が期待できる。
【００４５】
また、本実施形態の風圧センサ３Ａ、３Ｂに換えて、風情報計測手段として、図６に示すように、一の風向センサ８を住居６の所定の場所（例えば、屋根上など）に設置し、換気制御装置１は、かかる風向センサ８の計測結果（風情報）に基づいて、換気制御を行うようにしてもよい。この場合、換気制御装置１のデータ記憶部１３には、住居６における、換気扇２の設置場所の方角に関する情報と、換気口６の形成場所の方角に関する情報とが予め記憶されているものとし、制御部１４の風向判定部１４１は、風向センサ８の計測結果と、データ記憶部１３に記憶されている上記の情報とから、換気扇２の設置場所が風上又は風下の何れであるかを判定するようにすればよい。
【００４６】
（実施形態２）
続いて、本発明の実施形態２に係る換気システムについて説明する。なお、以下の説明において、実施形態１と共通する構成要素等については、同一の符号を付し、その説明を省略する。
【００４７】
図７は、本発明の実施形態２に係る換気システムの全体構成を示す図である。この換気システムは、換気制御装置１と、換気扇２Ａ，２Ｂ（第１の給排気手段，第２の給排気手段）と、風圧センサ３Ａ及び３Ｂと、から構成される。
【００４８】
実施形態１の換気システムでは、換気扇２と換気口５間の換気経路にて居室内の換気を行っていた。これに対し、本実施形態の換気システムでは、２台の換気扇２Ａ、２Ｂ間の換気経路にて換気を行う。その際、本実施形態の換気制御装置１は、実施形態１の場合と同様、風上側の換気線２については、プロペラファンを正回転させる制御を行って給気動作させる。さらに、本実施形態では、換気制御装置１は、風下側の換気線２について、プロペラファンを逆回転させる制御を行って排気動作させる。
【００４９】
このように、本実施形態の換気システムでは、換気扇２Ａ、２Ｂを使用して換気を行うため、より効率よく換気することができる。
【００５０】
（実施形態３）
続いて、本発明の実施形態３に係る換気システムについて説明する。なお、以下の説明において、実施形態１と共通する構成要素等については、同一の符号を付し、その説明を省略する。
【００５１】
図８は、本発明の実施形態３に係る換気システムの全体構成を示す図である。この換気システムは、換気制御装置１、換気扇２と、風圧センサ３Ａ，３Ｂと、環境センサ７Ａ，７Ｂ、とから構成される。
【００５２】
環境センサ７Ａ、７Ｂは、空気の状態を示す所定の物理量（例えば、湿度、塵埃濃度等）を計測するセンサであり、宅内ネットワーク４を介して換気制御装置１にデータ通信可能に接続される。環境センサ７Ａは、居室内の所定の場所に設置され、環境センサ７Ｂは、住居６の外壁の屋外側の所定位置（例えば、風圧センサ３Ａの近傍）に設置される。環境センサ７Ａ，７Ｂは、各々の計測結果を格納した環境データを所定のタイミングで宅内ネットワーク４を介して換気制御装置１に送信する。
【００５３】
実施形態１では、換気制御装置１は、換気制御処理（図４参照）において、第１タイマ１４３がタイムアウトする度、即ち、前回の換気開始から所定時間（例えば、２時間）が経過する毎に、換気扇２を制御して、居室内の換気を行っていた。これに対し、本実施形態では、換気制御装置１は、換気制御処理において、先ず、環境センサ７Ａ、７Ｂの計測結果に基づいて、換気を行うことが妥当であるか否かを判定を行う。そして、妥当であると判定した場合に限り、換気制御を実行する。
【００５４】
本実施形態の換気制御装置１が備える制御部１４は、図９に示すように、実施形態１の制御部１４の機能に加え、新たに、環境データ取得部１４５と、換気実行判定部１４６と、を備える。
【００５５】
環境データ取得部１４５は、環境センサ７Ａ、７Ｂから所定のタイミングで環境データを取得する。本実施形態では、環境データ取得部１４５は、第１タイマ１４３がタイムアウトする度に、環境センサ７Ａ、７Ｂに対して、環境データの送信を要求する。これに応答して、環境センサ７Ａ、７Ｂのそれぞれから環境データが送信され、通信部１０によって受信されると、環境データ取得部１４５は、受信された、環境センサ７Ａ、７Ｂそれぞれからの環境データを換気実行判定部１４６に供給する。
【００５６】
換気実行判定部１４６は、それぞれの環境データが示す計測結果（計測値）に基づいて、換気を行うことが妥当であるか否かの判定を行う。具体的には、例えば、環境センサ７Ａ、７Ｂが湿度を計測する場合、環境センサ７Ｂの計測値が環境センサ７Ａの計測値より大きい場合、即ち、屋外の湿度が居室内の湿度より高い場合、換気実行判定部１４６は、換気を行うことは妥当でないと判定する。また、環境センサ７Ａ、７Ｂが塵埃濃度を計測する場合、環境センサ７Ｂの計測値が環境センサ７Ａの計測値より大きい場合、即ち、屋外の塵埃濃度が居室内の塵埃濃度より高い場合、換気実行判定部１４６は、換気を行うことは妥当でないと判定する。
【００５７】
換気実行判定部１４６は、換気を行うことが妥当であると判定すると、風圧データ取得部１４０を起動させる。これにより、風圧データ取得部１４０により、風圧データが取得され、風向判定部１４１により外気の風向が判定され、そして、換気扇制御部１４２により換気扇２の制御が行われる。一方、換気を行うことが妥当でないと判定すると、換気実行判定部１４６は、風圧データ取得部１４０を起動させることなく、第１タイマ１４３に、所定時間（例えば、２時間）をセットして起動させる。これにより、第１タイマ１４３がタイムアウトするまで、換気制御処理は待機状態となる。
【００５８】
図１０は、本実施形態の換気制御装置１の制御部１４により実行される換気制御処理の手順を示すフローチャートである。この換気制御処理は、実施形態１の場合と同様、換気制御装置１の電源がＯＮの間、繰り返し実行される。
【００５９】
環境データ取得部１４５は、第１タイマ１４３がタイムアウトしているか否かをチェックする（ステップＳ２０１）。タイムアウトしている場合（ステップＳ２０１；ＹＥＳ）、環境データ取得部１４５は、環境センサ７Ａ、７Ｂに対して、計測結果の送信を要求するデータ（送信要求データ）を通信部１０を介して送信する（ステップＳ２０２）。環境センサ７Ａ、７Ｂのそれぞれは、かかる送信要求データを受信すると、計測結果を格納した環境データを換気制御装置１に送信する。
【００６０】
環境センサ７Ａ、７Ｂのそれぞれから送信された環境データが、通信部１０により受信されると（ステップＳ２０３；ＹＥＳ）、換気実行判定部１４６は、上述したように、双方の環境データに含まれる計測結果（例えば、湿度、塵埃濃度等の計測値）に基づいて、換気を行うことが妥当であるか否かを判定を行う（ステップＳ２０４）。その結果、妥当でないと判定すると（ステップＳ２０５；ＮＯ）、換気実行判定部１４６は、第１タイマ１４３に、所定時間（例えば、２時間）をセットして起動させる（ステップＳ２０６）。以降、制御部１４の処理は、ステップＳ２０１に戻る。
【００６１】
一方、換気を行うことが妥当であると判定した場合（ステップＳ２０５；ＹＥＳ）、換気実行判定部１４６は、風圧データ取得部１４０を起動させる。以降、制御部１４によって、実施形態１の換気制御処理（図４参照）におけるステップＳ１０２〜ステップＳ１１１と同様の処理が実行される。
【００６２】
以上のように、本発明の実施形態３に係る換気システムによれば、実施形態１の換気システムと同様、効率的な換気を実現しつつ、外気の湿度や塵埃濃度が高い場合等、外気の状態が不良の場合では、換気制御を停止し、外気の居室内への流入を防止することができる。
【００６３】
なお、本発明は、上記各実施形態に限定されず、本発明の要旨を逸脱しない範囲での種々の変更は勿論可能である。
【００６４】
例えば、換気制御装置１がインターネット等の外部ネットワークに接続される構成にして、風向きやその他の外気の情報を外部から取得できるようにしてもよい。
【００６５】
また、上記各実施形態における換気制御システムを、ＨＥＭＳ（Home Energy Management System）に統合させるようにしてもよい。この場合、ＨＥＭＳのコントローラを、上記各実施形態における換気制御装置１の機能を吸収させた構成にすればよい。
【００６６】
また、本発明は、一般家庭における住居のみならず、工場やオフィスビル等の建物内の換気にも適用することが可能である。
【００６７】
また、上記各実施形態において、換気制御装置１がそれぞれ実行するプログラムを、既存のパーソナルコンピュータ（ＰＣ）や携帯端末等に適用することで、当該ＰＣや携帯端末等を本発明に係る換気制御装置として機能させることも可能である。
【００６８】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【符号の説明】
【００６９】
１  換気制御装置、２，２Ａ，２Ｂ  換気扇、３Ａ，３Ｂ  風圧センサ、４  宅内ネットワーク、５  換気口、６  住居、７，７Ａ，７Ｂ  環境センサ、８  風向センサ、１０  通信部、１１  表示部、１２  入力部、１３  データ記憶部、１４  制御部、１４０  風圧データ取得部、１４１  風向判定部、１４２  換気扇制御部、１４３  第１タイマ、１４４  第２タイマ、１４５  環境データ取得部、１４６  換気実行判定部
【図１】
2014074554.tif 000003
【図２】
2014074554.tif 000004
【図３】
2014074554.tif 000005
【図４】
2014074554.tif 000006
【図５】
2014074554.tif 000007
【図６】
2014074554.tif 000008
【図７】
2014074554.tif 000009
【図８】
2014074554.tif 000010
【図９】
2014074554.tif 000011
【図１０】
2014074554.tif 000012